(57)【要約】      （修正有）【課題】ユーザの身体への装着性及び体裁面の装飾性を高める装身具用掛止具の提供。【解決手段】装身具用掛止具は、雄部材１０と雄部材に対して取り外し可能に係止される雌部材２０とを有する。雄部材は、板状体１２及び嵌合突子１４を備える。板状体は、体裁面となる第１の面１２ａと、非体裁面となる第２の面１２ｂと、第２の面に少なくとも開口する挿着孔と、を有する。嵌合突子は、頚部１５及び膨出部１６を備える。頚部は、板状体の挿着孔に一端側が挿着され、板状体の第２の面から他端側が突出している。膨出部は、頚部の他端側から膨出すると共に先端が平坦に形成されている。雌部材は、環状の付勢部材２１及びケース体３０を備える。付勢部材は、嵌合突子の膨出部を挿通させつつ弾性変形し、嵌合突子の頚部を係止する。ケース体は、付勢部材を挿通させた膨出部の先端を雌部材本体の外部に突出させる挿通孔を有する。【選択図】図８
0003219952.tif 000002
【実用新案登録請求の範囲】
【請求項１】
雄部材と、前記雄部材に対して取り外し可能に係止される雌部材と、を有し、
前記雄部材は、
体裁面となる第１の面と、非体裁面となる第２の面と、前記第２の面に少なくとも開口する挿着孔と、を有する板状体と、
前記板状体の前記挿着孔に一端側が挿着されている一方で前記板状体の前記第２の面から他端側が突出する頚部と、前記頚部の他端側から膨出すると共に先端が平坦に形成された膨出部と、を有する嵌合突子と、
を備え、
前記雌部材は、
前記嵌合突子の前記膨出部を挿通させつつ弾性変形することにより、前記嵌合突子の前記頚部を係止する環状の付勢部材と、
前記付勢部材を挿通させた前記膨出部の先端を前記雌部材本体の外部に突出させる挿通孔が形成されたケース体と、
を備える装身具用掛止具。
【請求項２】
前記嵌合突子は、中実な構造を有する、
請求項１に記載の装身具用掛止具。
【請求項３】
前記膨出部は、円錐台状に構成されている、
請求項１又は２に記載の装身具用掛止具。
【考案の詳細な説明】
【技術分野】
【０００１】
本考案は、ネックレスやブレスレットなどの装身具の係止部分に取り付けられる装身具用掛止具に関する。
【背景技術】
【０００２】
ネックレスやブレスレットなどの装身具の両端には、装身具全体を無端帯状に保持するための装身具用掛止具が取り付けられている。この種の装身具用掛止具としては、嵌合突子の形成された雄部材と、嵌合突子を挿通可能な挿通孔が形成されたリング状の雌部材と、から構成されるものが知られている（特許文献１参照）。
【０００３】
上記した装身具用掛止具では、雌部材の透孔の内壁に形成された凹溝に欠円状スプリングを設けておき、雄部材の嵌合突子を雌部材の欠円状スプリングの内径孔に挿着することで、雄部材側の嵌合突子の頚部を雌部材側のスプリングの反発力により保持することができる。これにより、装身具用掛止具は、ネックレスやブレスレットなどの装身具の端部どうしを係止することが可能となる。
【先行技術文献】
【特許文献】
【０００４】
【特許文献１】実用新案登録第３１２８８３０号公報
【考案の概要】
【考案が解決しようとする課題】
【０００５】
ところで、上述した従来の装身具用掛止具は、雄部材と雌部材とが係止された状態において、雄部材をユーザの肌面側に向け、一方、雌部材の表面を体裁面にする仕様となっている。したがって、従来の装身具用掛止具では、雄部材における嵌合突子先端の突起部が、雌部材における欠円状スプリングの内径孔及び挿通孔を貫通して、装身具の体裁面に表れるため、装身具における装飾性の低下が課題となる。
【０００６】
ここで、嵌合突子先端の突起部が、体裁面に表れないようにするために、装身具用掛止具の仕様として、雌部材をユーザの肌面側に向け、一方、雄部材の表面を体裁面にする仕様なども考えられる。しかしながら、この場合、雌部材を貫通する嵌合突子先端の突起部がユーザの肌面と接触する構成となるため、肌面と装身具用掛止具との間に傾きが生じやすく、結果的に、ユーザの身体への装身具の装着状態が絶えず不安定となる。
【０００７】
本考案は、上記課題を解決するためになされたものであり、ユーザの身体への装着性及び体裁面の装飾性を高めることが可能な装身具用掛止具の提供を目的とする。
【課題を解決するための手段】
【０００８】
上記目的を達成するために、本考案の一態様に係る装身具用掛止具は、雄部材と前記雄部材に対して取り外し可能に係止される雌部材とを有する。雄部材は、板状体及び嵌合突子を備えている。板状体は、体裁面となる第１の面と、非体裁面となる第２の面と、前記第２の面に少なくとも開口する挿着孔と、を有している。嵌合突子は、頚部及び膨出部を備えている。頚部は、板状体の挿着孔に一端側が挿着されている一方で板状体の第２の面から他端側が突出している。膨出部は、頚部の他端側から膨出すると共に先端が平坦に形成されている。一方、雌部材は、環状の付勢部材及びケース体を備えている。付勢部材は、嵌合突子の膨出部を挿通させつつ弾性変形することにより、嵌合突子の頚部を係止する。ケース体は、付勢部材を挿通させた膨出部の先端を雌部材本体の外部に突出させる挿通孔が形成されている。
【０００９】
上記した装身具用掛止具は、雄部材と雌部材とが係止された状態において、雌部材をユーザの肌面側に向け、一方、雄部材の表面（板状体の第１の面）を体裁面にする仕様となる。ここで、雌部材本体の外部に突出する雄部材側の嵌合突子の膨出部先端は、平坦に形成されていることから、肌面と装身具用掛止具（平坦な膨出部先端）との間に傾きなどが生じ難く、これにより、ユーザの身体に対して装身具の安定的な装着状態が確保される。
【００１０】
また、上記した装身具用掛止具は、雌部材本体の外部に突出する嵌合突子の膨出部先端が、装身具の体裁面に表れない構成であるため、装身具における装飾性の低下などが回避される。さらに、体裁面となる雄部材の板状体の形状を、例えばデザイン性に富む形状で構成することにより、装身具用掛止具を含む装身具全体の装飾性を向上させることが可能である。
【考案の効果】
【００１１】
したがって、本考案によれば、ユーザの身体への装着性及び体裁面の装飾性を高めることが可能な装身具用掛止具を提供することができる。
【図面の簡単な説明】
【００１２】
【図１】実施の形態に係る装身具用掛止具の雄部材を体裁面側から観た上面図。
【図２】実施の形態に係る装身具用掛止具の雌部材の底面図。
【図３】図２に示す雌部材を構成するリング板の底面図。
【図４】図２に示す雌部材を構成するケース体の底面図。
【図５】図４のケース体を拡大して示す断面図。
【図６】図１に示す雄部材の断面図。
【図７】図２に示す雌部材の断面図。
【図８】図６に示す雄部材と図７に示す雌部材との係止状態を示す断面図。
【考案を実施するための形態】
【００１３】
以下、実施の形態を図面に基づき説明する。
図１〜図８に示すように、本実施形態に係る装身具用掛止具５０は、雄部材１０と、この雄部材１０に対して取り外し可能に係止される雌部材２０と、を有している。図１、図６に示すように、雄部材１０は、めっき処理がそれぞれ施された板状体１２及び嵌合突子１４を備えている。板状体１２は、第１の面１２ａ、第２の面１２ｂ、挿着孔１２ｃ及び取付孔１２ｄを有している。
【００１４】
板状体１２の第１の面１２ａは、装身具用掛止具５０全体の体裁面となり、一方、第２の面１２ｂは、第１の面１２ａの背面側に位置する非体裁面となる。板状体１２は、真ちゅうなどの金属製の例えば板材を用いてデザイン性に富む形状に加工成形されている。板状体１２は、図１に示すように、星型に成形されていてもよいし、これに代えて、猫や鳥などの動物の形、草花の形、ハート型などに成形されていてもよい。さらに、これに代えて、板状体１２は、例えば星型、動物の形、王冠の形などが、第１の面（体裁面）１２ａ側に凹凸を有するように立体的に構成されていてもよい。
【００１５】
挿着孔１２ｃは、第２の面１２ｂに少なくとも開口している。図６に例示する挿着孔１２ｃは、板状体１２の第１の面１２ａから第２の面１２ｂにわたって貫通する貫通孔として形成されている。取付孔１２ｄは、図１、図６に示すように、板状体１２を厚さ方向に貫通しており、ネックレスやブレスレットなどの装身具を構成しているチェーン１８（又は紐など）の一端１８ａを取り付けるために設けられている。
【００１６】
図６に示すように、嵌合突子１４は、中実な構造を有しており、円柱状に構成された頚部１５及び円錐台状に構成された膨出部１６を備えている。頚部１５は、板状体１２の挿着孔１２ｃに一端（基端）１５ａ側が挿着されている一方で板状体１２の第２の面１２ｂから他端（先端）１５ｂ側が突出している。膨出部１６は、頚部１５の他端１５ｂ側から膨出すると共に当該膨出部１６の先端は、平坦な平坦面１６ａによって形成されている。
【００１７】
より具体的には、図６に示すように、嵌合突子１４は、円柱状の頚部１５の他端１５ｂ側と円錐台状の膨出部１６の小径側が連結するかたちで構成されている。嵌合突子１４の最先端面は、円錐台状の膨出部１６における大径側の平坦面１６ａによって構成されている。
【００１８】
一方、図２〜図５、図７、図８に示すように、雌部材２０は、めっき処理がそれぞれ施された環状の付勢部材である欠円状スプリング２１、カバー板２３、ケース体３０、リング板４０を備えている。図７、図８に示すように、欠円状スプリング２１は、自身の内径孔２１ａに、雄部材１０側の嵌合突子１４の膨出部１６を、挿通させつつ弾性変形することにより、嵌合突子１４の頚部１５を係止する。また、後述するケース体３０は、欠円状スプリング２１を挿通させた膨出部１６の先端を雌部材２０本体の外部に突出させるための挿通孔３５が形成されている。
【００１９】
ここで、雄部材１０の嵌合突子１４は、図６、図８に示すように、中実な構造であるため機械的強度が高い（弾性変形し難い）ことに加え、膨出部１６が円錐台状に形成されていることから、欠円状スプリング２１内へ挿通された際には抜け難い構造となっている。これにより、嵌合突子１４を備える雄部材１０と欠円状スプリング２１を備える雌部材２０とは、強固な係止状態が実現される。
【００２０】
図２、図４、図５に示すように、ケース体３０は、概略的には有底円筒体をほぼ逆さにした構造を有し、底部が開口している。このケース体３０は、天板３１、側壁部３２、開口部３３、挿通孔３４、挿通孔３５を主に備えている。側壁部３２は、天板３１の周縁部分から底部側に延びている。開口部３３は、リング板４０の装身具取付柄４２をケース体３０の内側から外側へ突出させるに側壁部３２の一部に設けられている。挿通孔３４は、嵌合突子１４の膨出部１６を、天板３１に対して挿通させるための透孔であり、膨出部１６の最大径よりもわずかに大きい径で穿孔されている。また、挿通孔３５は、ケース体３０の底部開口により構成されており、嵌合突子１４の膨出部１６を、ケース体３０本体内から外部に挿通させるための透孔である。
【００２１】
図２、図３、図７に示すように、リング板４０は、挿通孔４１、装身具取付柄４２、取付孔４３を有している。挿通孔４１は、嵌合突子１４の膨出部１６を挿通させるための透孔であって、膨出部１６の最大径よりもわずかに大きい径で穿孔されている。装身具取付柄４２は、リング板４０本体の径方向に突出するように設けられている。取付孔４３は、装身具取付柄４２の先端側に穿孔されており、ネックレスやブレスレットなどの装身具を構成しているチェーン１８（又は紐など）の他端１８ｂを取り付けるために設けられている。
【００２２】
リング板４０は、その上面が、ケース体３０における天板３１の底面と接触する状態で、ケース体３０内に収容されている。欠円状スプリング２１は、リング板４０の挿通孔４１内に納められるかたちで、ケース体３０内に収容されている。
【００２３】
カバー板２３は、ワッシャー状に構成されており、ケース体３０の挿通孔とほぼ同一径の挿通孔（透孔）２３ａが形成されている。カバー板２３は、欠円状スプリング２１を挿通孔４１内に納めたリング板４０を、ケース体３０における天板３１の底面との間で、挟持するようにしてケース体３０内に収容されている。このようなカバー板２３は、ケース体３０の側壁部３２の下端縁３２ａを内側へ屈曲させていることで、ケース体３０に固定されている。
【００２４】
図７、図８に示すように、上記したケース体３０の挿通孔３４と、リング板４０の挿通孔４１と、欠円状スプリング２１の内径孔２１ａと、カバー板２３の挿通孔（透孔）２３ａと、ケース体３０の挿通孔３５と、はそれぞれ同軸的に配置される。
【００２５】
ここで、欠円状スプリング２１は、一箇所で切断された弾性金属線のリング体であり、当該欠円状スプリング２１の内径孔２１ａに嵌合突子１４の膨出部１６を強制的に挿通させることで、弾性変形して内径孔２１ａが挿通の過程で拡径される。さらに、欠円状スプリング２１は、内径孔２１ａに対する膨出部１６の挿通後には縮径されて、嵌合突子１４の頚部１５を弾性力により係止する。詳述すると、欠円状スプリング２１は、カバー板２３の上面と、ケース体３０における天板３１の底面と、リング板４０における挿通孔３４の内周面と、の間で包囲された領域隙内で、その内径孔２１ａを拡径及び縮径可能にした状態にて収容されている。
【００２６】
このように構成された装身具用掛止具５０では、雄部材１０と雌部材２０とを係止（接続）する場合、図６〜図８に示すように、雄部材１０の嵌合突子１４を、雌部材２０におけるケース体３０の挿通孔３４側から、リング板４０の挿通孔４１を介して、欠円状スプリング２１の内径孔２１ａへ挿し込む。この挿し込み操作時の操作力を通じて、嵌合突子１４の膨出部１６が、欠円状スプリング２１の内径孔２１ａを強制的に拡径するように進入する。さらに、この嵌合突子１４の膨出部１６は、欠円状スプリング２１の内径孔２１ａを貫通し、カバー板２３の挿通孔２３ａ及びケース体３０の挿通孔３５（ケース体３０の底部の開口）を経て、ケース体３０（雌部材２０）の外部へ突出する。
【００２７】
一方、雄部材１０と雌部材２０との係止状態の解除は、これら雄部材１０と雌部材２０とを両手の指で摘みながら嵌合突子１４の膨出部１６を欠円状スプリング２１の内径孔２１ａから強制的に引き抜くように操作することで可能となる。これにより、欠円状スプリング２１の内径孔２１ａが強制的に一旦拡径され、嵌合突子１４の膨出部１６がその内径孔２１ａを潜り抜けることで、雄部材１０と雌部材２０との係止が解除される。
【００２８】
既述したように、本実施形態の装身具用掛止具５０は、雄部材１０と雌部材２０とが係止された状態において、雌部材２０をユーザの肌面側に向け、一方、雄部材１０の表面（板状体１２の第１の面１２ａ）を体裁面にする仕様となる。ここで、雌部材２０本体の外部に突出する雄部材１０側の嵌合突子１４の膨出部１６先端は、平坦面１６ａで形成されていることから、肌面と装身具用掛止具５０（膨出部１６先端の平坦面１６ａ）との間に傾きなどが生じ難く、これにより、ユーザの身体に対して装身具の安定的な装着状態が確保される。
【００２９】
また、本実施形態の装身具用掛止具５０は、雌部材２０本体の外部に突出する嵌合突子１４の膨出部１６の先端が、装身具の体裁面に表れない構成であるため、装身具における装飾性の低下などが回避される。さらに、体裁面となる雄部材１０の板状体１２の形状を、例えばデザイン性に富む形状で構成することにより、装身具用掛止具５０を含む装身具全体の装飾性を向上させることが可能である。
【００３０】
以上、本考案の実施形態を説明したが、この実施形態は、例として提示したものであり、考案の範囲を限定することは意図していない。この新規な実施形態は、その他の様々な形態で実施することが可能であり、考案の要旨を逸脱しない範囲で、種々の省略、置き換え、変更を行うことができる。この実施形態やその変形例は、考案の範囲や要旨に含まれると共に、特許請求の範囲に記載された考案とその均等の範囲に含まれる。
【符号の説明】
【００３１】
１０…雄部材、１２…板状体、１２ａ…板状体の第１の面、１２ｂ…板状体の第２の面、１２ｃ…挿着孔、１４…嵌合突子、１５…嵌合突子の頚部、１５ａ…頚部の一端、１５ｂ…頚部の他端、１６…嵌合突子の膨出部、１６ａ…膨出部の平坦面、２０…雌部材、２１…欠円状スプリング、２１ａ…欠円状スプリングの内径孔、３０…ケース体、３５…ケース体の挿通孔、５０…装身具用掛止具。
【図１】
0003219952.tif 000003
【図２】
0003219952.tif 000004
【図３】
0003219952.tif 000005
【図４】
0003219952.tif 000006
【図５】
0003219952.tif 000007
【図６】
0003219952.tif 000008
【図７】
0003219952.tif 000009
【図８】
0003219952.tif 000010